(57)【要約】【課題】  軽量で十分な強度を発揮し、外観も美麗であり、特に、多用途に使用可能なハンガーバーを提供する。【解決手段】  本発明であるハンガーバー１は、頂面１１の断面が円弧状に形成されているとともに両側面に軸線方向に断面が延びる凹条溝１２，１２を形成したほぼＩ形を呈する長尺状に形成されており、更に、前記断面における縦幅ｈが横幅ｄよりも長く形成されているとともに前記各凹条溝１２が開放部１３を外側に向けた断面Ｃ形に形成されている。【選択図】図１
2019103573.tif 000002
【特許請求の範囲】
【請求項１】
頂面の断面が円弧状に形成されているとともに両側面に軸線方向に延びる凹条溝を形成した断面がほぼＩ形を呈する長尺状であることを特徴とするハンガーバー。
【請求項２】
前記断面における縦幅が前記断面における横幅よりも長く形成されていることを特徴とする請求項１記載のハンガーバー。
【請求項３】
前記凹条溝が開放部を外側に向けた断面Ｃ形であることを特徴とする請求項１または２記載のハンガーバー。
【請求項４】
前記凹条溝に帯状のカバー体を差し込み嵌挿させたことを特徴とする請求項１，２または３記載のハンガーバー。
【請求項５】
先部に各種機器を突設させた基台を前記凹条溝に嵌挿させたことを特徴とする請求項１，２または３記載のハンガーバー。
【請求項６】
前記凹条溝を先部に各種機器を付設した走行体の走行レールとして使用することを特徴とする請求項１，２または３記載のハンガーバー。
【発明の詳細な説明】
【技術分野】
【０００１】
本発明は衣服を掛けたハンガーを吊すために室内や建具の壁間に掛け渡され或いはスタンドに水平方向に架設されるハンガーバーに関するものである。
【背景技術】
【０００２】
従来、衣服の収納などの手段として皺になったり型くずれなどを防ぐとともに収納ならびに取り出しを容易にするためにハンガーを用いて衣服を掛けることが行われており、これら衣服を掛けたハンガーは家屋や建具の壁間に掛け渡され或いはスタンドに水平方向に架設されるハンガーバーに吊された状態で保管される。
【０００３】
そして、多くの場合、一本のハンガーバーに多数の衣服を掛けたハンガーが吊されることになり、ハンガーを吊すハンガーバーには相当な重さの荷重が掛かることになり、特に冬季における防寒用の服については多大な重量となりこれらを吊すハンガーバーには相当の耐荷重性が要求される。
【０００４】
そのため、従来はハンガーバーとして比較的厚みのある鉄・真鍮・ステンレスなどの硬質材を用い、断面が円形のパイプ状に形成されたものが旧くから現在まで用いられていた。
【０００５】
しかしながら、前記従来の円筒状のハンガーバーは、パイプ状であることから強度を増すためには厚みを増す必要があり、材料費が嵩むとともに自身の重量が増加するという問題がある。
【０００６】
そこで、近頃、例えば特開２０１２−９０７９９号公報などに提示されているように、アルミニウム材などの軽量な金属を用い、例えば押し出し成形によって断面を縦長の長円形のパイプ状に形成したハンガーバーが提供されている。
【先行技術文献】
【特許文献】
【０００７】
【特許文献１】特開２０１２−９０７９９号公報
【発明の概要】
【発明が解決しようとする課題】
【０００８】
しかしながら、前記公報に提示されている従来のハンガーバーは断面を縦長の長円形とすることで、断面が円形のハンガーバーに比べてコンパクトかつ荷重方向への耐荷重性の確保を目指しているが、基本的には中空パイプであり十分な耐荷重性を有しているとは言い難い。加えて、外観的にも円柱状であって特別なデザイン性もなく、機能的にも単純に衣服を掛けたハンガーを吊すために用いる以外の用途は想定されていない。
【０００９】
本発明は、前記従来のハンガーバーにおける前記問題点を解決するためになされたものであり、軽量であっても十分な強度を発揮することは言うまでもなく外観も美麗であるとともに、特に、多用途に使用可能なハンガーバーを提供することを課題とする。
【課題を解決するための手段】
【００１０】
前記課題を解決するためになされた本発明であるハンガーバーは、頂面の断面が円弧状に形成されているとともに両側面に軸線方向に断面が延びる凹条溝を形成したほぼＩ形を呈する長尺状であることを特徴とする。
【００１１】
また、本発明において、断面における縦幅が断面における横幅よりも長く形成されていると少ない材料により製造が可能であるばかりかデザイン的にもスマートに形成することができる。
【００１２】
殊に、前記凹条溝が開放部を外側に向けた断面Ｃ形であるとデザイン的にも優れているとともに上下に形成される湾曲の係止突条により凹条溝に各種の機器を嵌挿することができる。
【００１３】
特に、前記凹条溝に帯状のカバー体を差し込み嵌挿させた場合には外観を容易に美麗に且つデザイン的に差別化することが可能であり、先部に各種機器を突設させた基台を前記凹条溝に嵌挿させることにより多機能に使用が可能であり、前記凹条溝を先部に各種機器を付設した走行体の走行レールとして使用することも可能である。
【発明の効果】
【００１４】
本発明によれば、軽量であっても十分な強度を発揮することは言うまでもなく外観も美麗であるとともに、特に、多用途に使用可能なハンガーバーを提供することができる。
【図面の簡単な説明】
【００１５】
【図１】本発明の好ましい実施の形態を示すものであり、（ａ）は一部を省略した斜視図、（ｂ）はＡ−Ａ線に沿う断面図。
【図２】図１に示した実施の形態の使用状態を示す説明図であり、（ａ）は天井に付設した場合、（ｂ）は壁面に付設した場合、（ｃ）はスタンドに付設した場合を示す。
【図３】図１に示した実施の形態にカバー体を付設する場合を示すものであり、（ａ）は付設状態を示し、（ｂ）は付設後の状態を示す。
【図４】図１に示した実施の形態に係止突起を付設する場合を示すものであり、（ａ）は付設状態を示し、（ｂ）は付設後の状態を示す。
【図５】図１に示した実施の形態に照明器具を付設する場合を示すものであり、（ａ）は付設状態を示し、（ｂ）は付設後の状態を示す。
【図６】図１に示した実施の形態を走行レールとして使用する状態を示す説明図であり、（ａ）は片側の凹条溝を用いた実施の形態を示す斜視図、（ｂ）は両側の凹条溝を用いた実施の形態を示す側面図。
【図７】本発明の異なる実施の形態を示す側面図。
【発明を実施するための形態】
【００１６】
以下に、本発明の好ましい実施の形態について図面を参照して詳細に説明する。
【００１７】
図１は本発明の好ましい実施の形態を示すものであり、ハンガーバー１は頂面１１の断面が円弧状に形成されているとともに両側面に軸線方向に断面が延びる凹条溝１２，１２を形成したほぼＩ形を呈する長尺状に形成されている。
【００１８】
また、前記断面における縦幅ｈが横幅ｄよりも長く形成されているとともに前記各凹条溝１２が開放部１３を外側に向けた断面Ｃ形に形成されている。
【００１９】
本実施の形態のハンガーバー１は例えば鉄や軽合金等、或いは硬質の合成樹脂材により形成される。
【００２０】
そして、本実施の形態のハンガーバー１は従来と同様に図２（ａ）に示したように両端に付設したブラケット２，２を介して屋内や建具の天井（図示せず）に付設されて衣服３を掛けたハンガー４を吊り下げて使用する。このとき、ブラケット２についてはハンガーバー１の端面が合致するようなＩ形の凹部を形成してもよいが（図示せず）、従来の断面が長円形のブラケット２を兼用することもできる。
【００２１】
このとき、本実施の形態であるハンガーバー１は、少ない材料により製造が可能であるばかりかデザイン的にもスマートに形成することができ、更に、断面において幅方向の中心位置に縦方向の軸体１４が形成されることから従来の中空筒状のハンガーバー（図示せず）に比べて大きな耐吊り下げ強度を発揮させることができる。また、頂面１１の断面が円弧状に形成されていることからハンガー４の湾曲状の吊り下げ部４１を安定した状態で係止させることができる。
【００２２】
尚、図２（ｂ）は壁面（図示せず）に取り付けた状態、図２（ｃ）はスタンド５に取り付けた状態を示すものであり、従来のハンガーバーと同様に使用することができる。
【００２３】
図３は、本実施の形態であるハンガーバー１の側面に形成した凹条溝１２に帯状のカバー体６を装着して使用する場合を示すものであり、カバー体６は例えば適宜の弾性を有する硬質の合成樹脂材により基本的にはハンガーバー１の凹条溝１２，１２に嵌挿可能な幅と長さを有するほぼ板状を呈し、図示したように縦幅が凹条溝１２よりも僅かに長く形成されているとともに内側面に長さ方向に複数の凹条６１を並設して全体が縦幅方向に撓むように形成されていると好ましい。
【００２４】
そして、本実施の形態は、図３（ａ）に示したようにハンガーバー１の一方端における凹条溝１２にカバー体６の一方端部を差し込み摺動させながら嵌挿することにより図３（ｂ）に示すように装着する。
【００２５】
このとき、本実施の形態ではハンガーバー１における凹条溝１２の断面は開放部１３を外側に向けた断面Ｃ形に形成されており上端および下端に湾曲状の係止突条１５により上下方向に互いに対向する係止溝条１６，１６が形成されているので、これらの係止溝条１６，１６間にカバー体６の上端面６２、下端面６３が係止されてカバー体６が凹条溝１２に嵌挿される。
【００２６】
尚、例えば比較的軟質の合成樹脂材によりカバー体６を形成することで、ハンガーバー１の端面が露出していない、天井や壁面またはスタンドに取り付けた状態のハンガーバー１に対して、カバー体６を屈曲させて係止溝条１６，１６間に嵌め込むことも可能である（図示せず）。
【００２７】
従って、少なくともカバー体６についての色彩や模様、さらには素材などを選択することにより使用する環境に併せて所望の美的外観を持ったハンガーバーを極めて容易に且つ簡単な作業で提供することができる。
【００２８】
図４および図５は本実施の形態であるハンガーバー１の前記凹条溝１２に先部に各種機器７を突設させた基台７１を嵌挿させた場合の使用例を示すものであり、図４は基台７１にフックからなる機器７を装着させた場合を示すものであり、図５は基台７１にＬＥＤの照明器具からなる機器７を装着させた場合を示すものである。
【００２９】
これらの機器７は例えば図４（ａ）に示したように、機器７を突設した或いは取り外した状態（図示せず）の板状を呈する基台７１をハンガーバー１の凹条溝１２に開放端から差し込み摺動させて、係止溝条１６，１６間に基台７１の上端面７２、下端面７３を係止させて基台７１を所定の位置に配置するものであり、通常は基台７１の素材の摩擦力や縦幅の寸法などを加減することにより特別な固定手段を要さないが、基台７１を例えば止めねじなどの固定具（図示せず）を用いて装着位置を固定してもよい。
【００３０】
尚、本実施の形態では、機器７としてフックおよび照明器具を用いた場合を示したが、これに限るものでなく、例えばサーキュレータやブラインドなど他の機器を選択使用することも可能であり、また、凹条溝１２部分に脱臭剤や防腐剤、防虫剤、芳香剤など衣類や室内に関する各種必要な薬剤等を装着するようにすることも可能である。
【００３１】
更にまた、図６は、凹条溝１２の下端に形成した係止溝条１６を、下端部に各種用途の機器や備品を吊り下げ可能なフック８２を付設した走行体８の走行レールとして使用する実施の形態を示すものであり、各種の機器や備品を走行させることにより多用途に使用することができるものであり、図６（ａ）は片側の凹条溝１２を走行レールとして使用した場合を示し、図６（ｂ）は両側の凹条溝１２，１２の係止溝条１６，１６に車輪８１，８１を跨らせて配置した場合を示す。
【００３２】
図７は本発明の異なる実施の形態を示すものであり、全体の形状は前記図１に示した実施の形態のハンガーバー１とほぼ同様であるが、断面における縦幅ｈと横幅ｄの比率が異なることにより更に大きな耐吊り下げ強度を発揮するとともにとともに断面Ｃ形に形成された凹条溝１２の上端および下端に湾曲状の係止突条１５がより大きく張り出しており、それらの内側に形成される上下方向に互いに対向する係止溝条１６，１６も深く形成され、更に重量のある或いはかさばる各種の機器等を装着することができる。
【符号の説明】
【００３３】
１  ハンガーバー、２  ブラケット、３  衣服、４  ハンガー、５  スタンド、６  カバー体、７  機器、８  走行体、１１  頂面、１２  凹条溝、１３  開放部、１４  軸体、１５  係止突条、１６  係止溝条、４１  吊り下げ部、６１  凹条、６２  上端面、６３  下端面、７１  基台、７２  上端面、７３  下端面、８１  車輪、８２  フック
【図１】
2019103573.tif 000003
【図２】
2019103573.tif 000004
【図３】
2019103573.tif 000005
【図４】
2019103573.tif 000006
【図５】
2019103573.tif 000007
【図６】
2019103573.tif 000008
【図７】
2019103573.tif 000009